(57)【要約】【課題】レジストレーションずれ補正に伴う副作用の発生を抑制しつつ、画像の劣化を抑えることができるようにする。【解決手段】レジストレーションずれ補正に伴う副作用対策として各色信号の周波数特性を補正する副作用対策処理部（周波数特性補正部）１と、補正データＤＦに基づいて、基準色に対する他の色の各画素ごとのレジストレーションずれ量を１画素未満の大きさの精度で算出する移動量算出部２と、移動量算出部２で算出されたレジストレーションずれ量に基づいて、他の色の色信号の各画素ごとに、レジストレーションずれを補正する信号処理を１画素未満の大きさの精度で行うレジずれ補正処理部４と、移動量算出部２で算出されたレジストレーションずれ量に基づいて、副作用対策処理部１によって補正される前の各色信号と補正された後の各色信号とから、レジずれ補正処理部４での信号処理対象となる色信号を生成して出力する信号生成部３とを備える。【選択図】図１
2009044488.tif 000002
【特許請求の範囲】
【請求項１】
複数色の照明光のそれぞれを、各色に対応する色信号に基づいて変調して各色ごとの映像光を生成すると共に、前記各色ごとの映像光をスクリーン上に投影してカラー画像を表示するプロジェクタであって、
前記複数色のうちの１つを基準色としたときの前記スクリーン上における前記基準色に対する他の色についてのレジストレーションずれ量を示す補正データに基づいて、前記基準色に対する前記他の色の各画素ごとのレジストレーションずれ量を１画素未満の大きさの精度で算出する移動量算出部と、
前記各色信号の周波数特性を補正する周波数特性補正部と、
前記移動量算出部で算出されたレジストレーションずれ量に基づいて、前記他の色の色信号の各画素ごとに、レジストレーションずれを補正する信号処理を１画素未満の大きさの精度で行うレジずれ補正処理部と、
前記移動量算出部で算出されたレジストレーションずれ量に基づいて、前記周波数特性補正部によって補正される前の前記各色信号と補正された後の前記各色信号とから、前記レジずれ補正処理部での信号処理対象となる色信号を生成して出力する信号生成部と、
前記レジずれ補正処理部で補正された後の各色信号に基づいて各色ごとに照明光を変調する表示デバイスと
を備えたことを特徴とするプロジェクタ。
【請求項２】
前記信号生成部は、
前記移動量算出部で算出されたレジストレーションずれ量に基づいて、前記周波数特性補正部によって補正される前の前記各色信号と補正された後の前記各色信号とを選択的に切り替えて出力する
ことを特徴とする請求項１に記載のプロジェクタ。
【請求項３】
前記信号生成部は、前記レジストレーションずれ量が１画素の大きさの整数倍である場合には、前記周波数特性補正部によって補正される前の前記各色信号を出力し、前記レジストレーションずれ量が１画素の大きさの整数倍にならない場合には、前記周波数特性補正部によって補正された後の前記各色信号を出力する
ことを特徴とする請求項２に記載のプロジェクタ。
【請求項４】
前記信号生成部は、
前記移動量算出部で算出されたレジストレーションずれ量に基づいて、前記周波数特性補正部によって補正される前の前記各色信号と補正された後の前記各色信号とを各色ごとに合成し、その合成した信号を出力する
ことを特徴とする請求項１に記載のプロジェクタ。
【請求項５】
前記信号生成部は、前記レジストレーションずれ量が１画素の大きさの整数倍に近いほど、前記周波数特性補正部によって補正される前の前記各色信号の割合が多くなるように信号を合成する
ことを特徴とする請求項４に記載のプロジェクタ。
【請求項６】
複数色の照明光のそれぞれを、各色に対応する色信号に基づいて変調して各色ごとの映像光を生成すると共に、前記各色ごとの映像光をスクリーン上に投影してカラー画像を表示するプロジェクタにおける映像信号処理方法であって、
前記複数色のうちの１つを基準色としたときの前記スクリーン上における前記基準色に対する他の色についてのレジストレーションずれ量を示す補正データに基づいて、前記基準色に対する前記他の色の各画素ごとのレジストレーションずれ量を１画素未満の大きさの精度で算出するステップと、
前記各色信号の周波数特性を補正するステップと、
前記算出されたレジストレーションずれ量に基づいて、前記他の色の色信号の各画素ごとに、レジストレーションずれを補正する信号処理を１画素未満の大きさの精度で行うステップと、
前記算出されたレジストレーションずれ量に基づいて、前記周波数特性を補正するステップによって補正される前の前記各色信号と補正された後の前記各色信号とから、前記レジストレーションずれを補正する信号処理の対象となる色信号を生成して出力するステップと
を含むことを特徴とする映像信号処理方法。
【発明の詳細な説明】
【技術分野】
【０００１】
本発明は、例えば３板式の液晶プロジェクタ等に適用され、特に信号処理によるレジストレーションずれの補正機能を有するプロジェクタおよびプロジェクタにおける映像信号処理方法に関する。
【背景技術】
【０００２】
従来より、例えば３板式の液晶プロジェクタ１０１においては、図５に示したようなレジストレーションずれが発生する問題が知られている。３板式の液晶プロジェクタ１０１は、赤色用、緑色用、および青色用の例えば透過型の液晶表示パネル１０２Ｒ，１０２Ｇ，１０２Ｂを備えている。３板式の液晶プロジェクタ１０１では、図示しない光源から出射された各色の照明光のそれぞれを、各色の液晶表示パネル１０２Ｒ，１０２Ｇ，１０２Ｂによって、各色に対応する色信号に基づいて変調して各色ごとの映像光ＬＲ，ＬＧ，ＬＢを生成する。そして、それら各色ごとの映像光ＬＲ，ＬＧ，ＬＢを図示しない投影光学系によってスクリーン１０３上に投影することでカラー画像を表示する。
【０００３】
３板式のプロジェクタ１０１では、理想的には、スクリーン上１０３において、各色の映像光ＬＲ、ＬＧ、ＬＢによる赤色、緑色、および青色の映像１０４Ｒ，１０４Ｇ，１０４Ｂが正しく重なり合って表示されている必要がある。しかしながら実際には、各色の映像１０４Ｒ，１０４Ｇ，１０４Ｂが正しく重なり合わず、各色の映像間に位置ずれ生じる場合がある。このような各色の映像ずれは、レジストレーションずれと呼ばれている。このレジストレーションずれを補正する方法としては、例えば製造時に、光学系や液晶表示パネルの取り付け位置等を機械的に調整する方法がある。例えば図５において、緑色の映像１０４Ｇに対して青色の映像１０４Ｂが水平方向または垂直方向にレジストレーションずれしている場合には、レジストレーションずれの分だけ、青色用の液晶表示パネル１０２Ｂの取り付け位置を水平方向または垂直方向に移動させることで、そのレジストレーションずれを補正することができる。また、緑色の映像１０４Ｇに対して青色の映像１０４Ｂが斜めに傾いてレジストレーションずれしている場合には、レジストレーションずれの分だけ、青色用の透過型液晶表示パネル１０２Ｂの取り付け位置を回転させることで、そのレジストレーションずれを補正することができる。
【０００４】
しかしながら、光学系や表示パネルの取り付け位置等を機械的に調整する方法では、調整作業に時間を要すると共に、精度良くレジストレーションずれを補正するのが困難であるという問題がある。また作業に熟練を要する問題もある。一方、機械的な調整ではなく、信号処理によりレジストレーションずれを電気的に補正する方法が開発されている。特許文献１には、メモリを介して表示デバイスを駆動するようにし、このメモリへの書き込みアドレスを制御することにより、電気的にレジストレーションずれを調整する方法が提案されている。
【０００５】
【特許文献１】特開平２００４−２２９１９５号公報
【発明の開示】
【発明が解決しようとする課題】
【０００６】
ここで、特許文献１に記載の方法では、整数画素単位（１画素単位の精度）でしかレジストレーションずれを補正できない問題がある。また、水平方向または垂直方向へのレジストレーションずれしか補正できない問題がある。そこで、画素の補間演算処理を用いて１画素未満の精度でレジストレーションずれを補正する方法が考えられている。しかしながら、１画素未満の精度での補正処理を行うと、後述するように、表示デバイスの特性等により色むらといった画像の変質が伴う副作用が生じる問題がある。その副作用対策としてローパスフィルタ等によって副作用の原因の排除を行うことが考えられるが、この場合、レジストレーションずれ補正に伴う副作用は抑えられるものの、画像全体の劣化が確実に起こってしまう。
【０００７】
以下、この副作用についてより具体的に説明する。それに先だって、まず、図６（Ａ）〜（Ｆ）を参照して、１画素単位でのレジストレーションずれの補正処理について説明する。なお、ここでいう１画素とは、各色の最小単位の画素（１サブピクセル）のことをいう。図６（Ａ）〜（Ｆ）において、横軸は画素位置、縦軸は輝度を表す。以下では、説明を簡略化するため、水平方向のレジストレーションずれを例に説明する。図６（Ａ）は、元画像に基づく理想的な表示状態を模式的に示しており、Ｒ，Ｇ，Ｂの各色の画素位置にずれはない。これに対して図６（Ｂ）は、１画素分のレジストレーションずれが生じた例を示している。図６（Ｂ）では、緑色を基準色としたとき、それに対して青色の画素が右方向に１画素分、赤色の画素が左方向に１画素分、レジストレーションずれが生じている。このレジストレーションずれを補正するためには、画像を投影する前にあらかじめ各色信号に対して図６（Ｂ）のレジストレーションずれ量とは逆方向に画素の位相を移動させるような補正処理を施してやれば良い。図６（Ｄ）は、元画像に対して、そのレジストレーションずれの補正処理を行った状態を模式的に示している。この補正処理は、緑色を基準色として、青色および赤色の色信号の各画素ごとに行われる。この補正処理後の信号に基づいて各色の表示デバイスを駆動し、スクリーン上に投影すると、結果として図６（Ｅ）に示したようにレジストレーションずれのない、元画像と同等の表示がなされる。
【０００８】
なお、一部の液晶表示デバイスの場合、１ｏｎ１ｏｆｆと呼ばれる、大きい値と小さい値とが１画素単位で交互に繰り返されるような信号のとき、大きい値の信号が実際の値より暗く表示されるディスクリートと呼ばれる現象が発生する。これは通常なら陰極と陽極の間の方向に電界が発生するはずが、左右の輝度差が大きいため画像間の印加電圧の差が大きくなり、横方向に電界が傾けられてしまうために発生する現象である。このようなディスクリート現象が発生した場合、例えば図６（Ｂ）の表示は実際の見え方としては、図６（Ｃ）のように輝度が落ちた状態となる。同様に、例えば図６（Ｅ）の表示は実際の見え方としては、図６（Ｆ）のように輝度が落ちた状態となる。なお、図６（Ｅ）のように１画素単位でのレジストレーションずれの補正処理を行った場合において、ディスクリート現象が発生したとしても、図６（Ｆ）のように各色につき同等に輝度が落ちるので色むらは生じない。
【０００９】
次に、図７（Ａ）〜（Ｆ）を参照して、１画素未満のずれ量を有する場合のレジストレーションずれの補正処理について説明する。図７（Ａ）は、図６（Ａ）と同様に元画像に基づく理想的な表示状態を模式的に示しており、Ｒ，Ｇ，Ｂの各色の画素位置にずれはない。これに対して図７（Ｂ）は、０．５画素分のレジストレーションずれが生じた例を示している。図７（Ｂ）では、緑色を基準色としたとき、それに対して青色の画素が右方向に０．５画素分、赤色の画素が左方向に０．５画素分、レジストレーションずれが生じている。このレジストレーションずれを補正するためには、画像を投影する前にあらかじめ各色信号に対して図７（Ｂ）のレジストレーションずれ量とは逆方向に画素の位相を移動させるような補正処理を施してやれば良い。この場合の補正処理は、１画素単位でのレジストレーションずれの補正処理とは異なり、画素の補間演算処理を用いることで、周辺画素に重み付けをして輝度を分散させ、擬似的に画素をレジストレーションずれ量分、移動させるような処理を行う。図７（Ｄ）は、元画像に対して、その画素の補間演算処理を用いて、レジストレーションずれの補正処理を行った状態を模式的に示している。この補正処理は、緑色を基準色として、青色および赤色の色信号の各画素ごとに行われる。この補正処理後の信号に基づいて各色の表示デバイスを駆動し、スクリーン上に投影すると、結果として図７（Ｅ）に示したようにレジストレーションずれの抑制された、擬似的に元画像に近い表示がなされる。
【００１０】
ここで、図７（Ｂ）のように０．５画素分のレジストレーションずれが生じている状態において、上述のディスクリート現象が発生した場合、図７（Ｂ）の表示は実際の見え方としては、図７（Ｃ）のように全体的に輝度が落ちた状態となる。一方、図７（Ｅ）のように０．５画素分のレジストレーションずれの補正処理を行って表示した場合において、ディスクリート現象が発生すると、図７（Ｅ）の表示は実際の見え方としては、図７（Ｆ）のような状態となる。図７（Ｅ）の状態では、緑色を基準色としているので、緑色については画素値（輝度）の変化は無いが、青色および赤色については、輝度の高かった部分が周囲に分散され、全体としては擬似的に元画像に近い表示がなされるものの、１画素単位で見ると部分的に元画像に対して輝度が低い部分が生じている。このような状態において、ディスクリート現象が発生すると、図７（Ｆ）に示したように、基準色の緑色のみがディスクリート現象により輝度が落ちた状態となり、レジストレーションずれの補正処理がなされた青色および赤色についてはディスクリート現象の影響を受けないという状態が生じ得る。この場合、各色について一様に輝度が落ちた場合とは異なり、緑色のみの輝度が落ちた状態となるので、色むらが発生する原因となる。この色むらが、レジストレーションずれ補正に伴う副作用である。
【００１１】
このように、１画素未満のずれ量を補正する処理では、ある１画素の輝度をその周囲の複数画素に分散して表示するため、本来はディスクリート現象に影響されるような入力信号であったものが、ディスクリート現象に影響されない信号に置き換わってしまう可能性がある。その結果、表示色間の輝度のバランスが崩れることにより、画面の箇所によっては本来の色とは異なる見え方をしてしまうのである。特に、ディスクリート現象は画像の高周波領域で生じやすいので、画像の高周波領域で元画像とは異なる色がついたような見え方をしてしまう。こうした表示デバイス依存の副作用の対策として、入力信号にローパスフィルタを掛けることで高域成分をあらかじめなくしてしまい、ディスクリート現象の発生自体を抑える手法がとられる。
【００１２】
図８は、そのレジストレーションずれ補正に伴う副作用対策のなされた画像処理回路の構成例を示している。この画像処理回路２００は、副作用対策処理部（周波数特性補正部）２０１と、移動量算出部２０２と、レジずれ補正処理部２０３とを備えている。この画像処理回路２００には、入力信号Ｓ１として、Ｒ，Ｇ，Ｂの各色信号が入力される。副作用対策処理部２０１は、各色信号に対して上述のディスクリート現象の発生を抑えるために周波数特性を補正する処理、具体的にはローパスフィルタによるフィルタ処理を行う。移動量算出部２０２には、例えばスクリーン上の表示状態に基づいて計測されたレジストレーションずれ量を示す補正データＤＦが入力される。移動量算出部２０２は、その補正データＤＦに基づいて、基準色に対する他の色の各画素ごとのレジストレーションずれ量を１画素未満の大きさの精度で算出する。レジずれ補正処理部２０３には、副作用対策処理部２０１から出力された各色信号と、移動量算出部２０２から出力された各画素ごとのレジストレーションずれ量を示すデータとが入力される。レジずれ補正処理部２０３では、レジストレーションずれ量に基づいて、副作用対策のなされた各色信号に対して各画素ごとにレジストレーションずれを補正する信号処理を行い、出力信号Ｓ２として出力する。この出力信号Ｓ２に基づいて表示デバイスが駆動される。
【００１３】
しかしながら、このような副作用対策処理部２０１を設けて、フィルタ処理を行うと、画像全体がぼやけ、画像の鮮鋭度が失われてしまう。レジストレーションずれの補正処理による副作用を抑えることができても、新たな画質劣化を引き起こしてしまうのである。極端なケースでは、結果として画面のわずか一部の領域にしかレジストレーションずれの補正処理をしない場合であっても、画面全体の画質劣化は免れない。一方、画像全体の劣化を抑えるために、入力信号から副作用の発生しやすい領域を検出し、検出された領域のみに対策処理を施す措置も考えられる。例えば、ディスクリート現象による副作用の場合、高域検出フィルタを掛けることで高域部分を抜き出し、検出された領域のみにローパスフィルタを掛けることが考えられる。このように、入力信号に依存した因子で副作用対策のオン／オフ制御もしくは強弱を決定することが考えられるが、レジストレーションずれ量自体を考慮していないため、画質劣化の対策としては不十分である。例えば図６（Ｆ）および図７（Ｆ）の結果を見ても分かるように、レジストレーションずれの補正処理による副作用が発生するのは、レジストレーションずれ量として、小数点画素のずれ（１画素未満のずれ）がある場合であり、必要最低限の副作用対策は、そのようなずれ量がある部分にのみ行えばよい。しかしながら、従来では、そのようなレジストレーションずれ量を考慮した副作用対策はなされていない。
【００１４】
本発明はかかる問題点に鑑みてなされたもので、その目的は、レジストレーションずれ補正に伴う副作用の発生を抑制しつつ、画像の劣化を抑えることができるようにしたプロジェクタおよび映像信号処理方法を提供することにある。
【課題を解決するための手段】
【００１５】
本発明のプロジェクタは、複数色の照明光のそれぞれを、各色に対応する色信号に基づいて変調して各色ごとの映像光を生成すると共に、各色ごとの映像光をスクリーン上に投影してカラー画像を表示するプロジェクタであって、複数色のうちの１つを基準色としたときのスクリーン上における基準色に対する他の色についてのレジストレーションずれ量を示す補正データに基づいて、基準色に対する他の色の各画素ごとのレジストレーションずれ量を１画素未満の大きさの精度で算出する移動量算出部と、各色信号の周波数特性を補正する周波数特性補正部と、移動量算出部で算出されたレジストレーションずれ量に基づいて、他の色の色信号の各画素ごとに、レジストレーションずれを補正する信号処理を１画素未満の大きさの精度で行うレジずれ補正処理部と、移動量算出部で算出されたレジストレーションずれ量に基づいて、周波数特性補正部によって補正される前の各色信号と補正された後の各色信号とから、レジずれ補正処理部での信号処理対象となる色信号を生成して出力する信号生成部と、レジずれ補正処理部で補正された後の各色信号に基づいて各色ごとに照明光を変調する表示デバイスとを備えたものである。
【００１６】
本発明の映像信号処理方法は、複数色の照明光のそれぞれを、各色に対応する色信号に基づいて変調して各色ごとの映像光を生成すると共に、各色ごとの映像光をスクリーン上に投影してカラー画像を表示するプロジェクタにおける映像信号処理方法であって、複数色のうちの１つを基準色としたときのスクリーン上における基準色に対する他の色についてのレジストレーションずれ量を示す補正データに基づいて、基準色に対する他の色の各画素ごとのレジストレーションずれ量を１画素未満の大きさの精度で算出するステップと、各色信号の周波数特性を補正するステップと、算出されたレジストレーションずれ量に基づいて、他の色の色信号の各画素ごとに、レジストレーションずれを補正する信号処理を１画素未満の大きさの精度で行うステップと、算出されたレジストレーションずれ量に基づいて、周波数特性を補正するステップによって補正される前の各色信号と補正された後の各色信号とから、レジストレーションずれを補正する信号処理の対象となる色信号を生成して出力するステップとを含むものである。
【００１７】
本発明のプロジェクタまたは映像信号処理方法では、基準色に対する他の色の各画素ごとのレジストレーションずれ量が１画素未満の大きさの精度で算出され、その算出されたレジストレーションずれ量に基づいて、他の色の色信号の各画素ごとに、レジストレーションずれを補正する信号処理が１画素未満の大きさの精度で行われる。レジストレーションずれを補正する信号処理は、単純に、周波数特性が補正された後の色信号に対して行われるのではなく、算出されたレジストレーションずれ量に基づいて、周波数特性が補正される前の各色信号と周波数特性が補正された後の各色信号とから生成された色信号に対して行われる。
【００１８】
レジストレーションずれを補正する信号処理の対象となる色信号を生成する第１の手法としては、算出されたレジストレーションずれ量に基づいて、周波数特性補正部によって補正される前の各色信号と補正された後の各色信号とを選択的に切り替えて出力する方法がある。
【００１９】
また、第２の手法としては、算出されたレジストレーションずれ量に基づいて、周波数特性補正部によって補正される前の各色信号と補正された後の各色信号とを各色ごとに合成し、その合成した信号を出力する方法がある。
この第２の手法の場合、周波数特性補正部によって補正される前の各色信号と補正された後の各色信号とを単純に選択的に切り替えて出力する第１の手法に場合に比べて、信号の不連続性を抑制することができる。
【発明の効果】
【００２０】
本発明のプロジェクタまたは映像信号処理方法によれば、レジストレーションずれを補正する信号処理を、レジストレーションずれ量に基づいて、周波数特性が補正される前の各色信号と周波数特性が補正された後の各色信号とから生成された色信号に対して行うようにしたので、単に入力信号にのみに基づいて副作用対策のための周波数特性補正処理を行う場合に比べて、レジストレーションずれ補正に伴う副作用の発生を抑制しつつ、画像の劣化を抑えることができる。
【００２１】
特に、算出されたレジストレーションずれ量に基づいて、周波数特性補正部によって補正される前の各色信号と補正された後の各色信号とを各色ごとに合成し、その合成した信号を、レジストレーションずれを補正する信号処理の対象となる色信号として出力するようにした場合には、例えば周波数特性補正部によって補正される前の各色信号と補正された後の各色信号とを単純に選択的に切り替えて出力する場合に比べて、信号の不連続性を抑制することができる。
【発明を実施するための最良の形態】
【００２２】
以下、本発明の実施の形態について図面を参照して詳細に説明する。
［第１の実施の形態］
【００２３】
図２は、本発明の第１の実施の形態に係るプロジェクタの一構成例を示している。
このプロジェクタ１１は、３板式のリアプロジェクタであり、照明光を発する光源１２と、照明光を変調する表示デバイス１３と、信号入力部１５と、画像処理部１６と、補正データメモリ１７と、信号出力部１８とを備えている。光源１２と表示デバイス１３との間には、光源１２からの照明光を赤色、緑色、および青色の各色光に分離する、図示しないダイクロイックプリズム等の分離光学系が設けられている。分離光学系により分離された各色光が表示デバイス１３に入射するようになっている。また、表示デバイス１３とスクリーン１４との間には図示しない投影光学系が設けられている。
【００２４】
表示デバイス１３は、赤色用、緑色用、および青色用の表示パネル１３Ｒ，１３Ｇ，１３Ｂを有している。表示パネル１３Ｒ，１３Ｇ，１３Ｂは、例えば透過型の液晶表示パネルで構成され、入射された赤色、緑色、および青色の照明光を各色の駆動用の色信号ＳＲ，ＳＧ，ＳＢに基づいて変調し、赤色、緑色、および青色の映像光ＬＲ，ＬＧ，ＬＢをそれぞれ生成するようになっている。それら各色ごとの映像光ＬＲ，ＬＧ，ＬＢが、図示しない投影光学系によってスクリーン１４上に投影されることでカラー画像を表示するようになっている。なお表示デバイス１３としては、液晶表示パネル以外にも、ＤＭＤ（Digital Micromirror Device）等、プロジェクタに適用可能な種々の表示デバイスを広く適用することができる。
【００２５】
信号入力部１５は、テレビジョンチューナー、ビデオテープレコーダ等の映像機器からの映像信号を入力信号Ｓ１として画像処理部１６に入力するものである。画像処理部１６は、補正データメモリ１７に格納された補正データＤＦを基準にして入力信号Ｓ１に対してレジストレーションずれを補正する処理等を行い、その補正処理後の色信号を出力信号Ｓ２として出力するようになっている。信号出力部１８は、この画像処理部１６からの出力信号Ｓ２に基づく各色の駆動用の色信号ＳＲ，ＳＧ，ＳＢを出力して各色用の表示パネル１３Ｒ，１３Ｇ，１３Ｂを駆動するようになっている。
【００２６】
補正データメモリ１７は、例えば工場出荷時において計測することにより得られた、レジストレーションずれ補正用の補正データＤＦを格納している。この補正データＤＦは、例えば図３に示したような計測システムによって得られたものである。
【００２７】
図３の計測システムは、計測対象となるプロジェクタ１１と、このプロジェクタ１１のレジストレーションずれ量を測定するレジストレーション測定装置２１とを備えている。レジストレーション測定装置２１は、撮像装置２２と、解析装置２３とを有している。
【００２８】
この計測システムにおいて、プロジェクタ１１は、プロジェクタ本体１０の各部の位置（表示パネル１３Ｒ，１３Ｇ，１３Ｂの取り付け位置、光学系の位置等）が粗調整されて接着剤により固定された後、所定のテスト信号ＳＴが入力され、このテスト信号ＳＴの映像をスクリーン１４に表示する。なお、テスト信号ＳＴは、例えばドットパターンのビデオ信号である。またここでは、テスト信号ＳＴに対してレジストレーションずれの補正処理がなされていない状態で映像表示を行う。このスクリーン１４上の表示をレジストレーション測定装置２１の撮像装置２２で撮像する。そして、その撮像結果を解析装置２３で解析することによりレジストレーションずれ量を検出し、そのデータを補正データＤＦとしてプロジェクタ１１に出力する。補正データＤＦは、プロジェクタ１１の補正データメモリ１７に格納される。
【００２９】
ここで、解析装置２３で解析されるレジストレーションずれ量の具体的内容を説明する。なお、ここでは、スクリーン１４上に形成される緑色の映像光による映像を基準にして、この緑色の映像に対する赤色、および青色の映像のレジストレーションずれ量を検出する場合を例に説明する。解析装置２３は、それぞれ赤色、緑色、および青色について、スクリーン１４上の各ドットの表示位置を検出する。またその検出結果から、赤色の任意の２つのドットを結ぶ直線と、対応する緑色の２つのドットを結ぶ直線との成す角度を検出する。解析装置２３は、スクリーン１４上の複数箇所で、この角度を検出する処理を繰り返し、平均値化することにより、緑色の映像に対して赤色の映像を回転させて補正可能な回転のレジストレーションずれ量Ｄθを回転角度で検出する。また同様にして緑色の映像に対して青色の映像を回転させて補正可能な回転のレジストレーションずれ量Ｄθを回転角度で検出する。また赤色の任意の２つのドットを結ぶ直線と、対応する緑色の２つのドットを結ぶ直線との長さの比率を検出する。解析装置２３は、スクリーン１４上の複数箇所で、この比率を検出する処理を繰り返し、平均値化することにより、緑色の映像に対する赤色の映像の投影倍率の可変により補正可能な投影倍率のレジストレーションずれ量ＤＺを、緑色の映像に対する倍率で検出する。また同様にして緑色の映像に対する青色の映像の投影倍率の可変により補正可能な投影倍率のレジストレーションずれ量ＤＺを、緑色の映像に対する倍率で検出する。なおここでこの投影倍率の可変により補正可能なレジストレーションずれ量は、倍率色収差によるレジストレーションずれ量である。また赤色および青色のドット表示位置を、これら回転のレジストレーションずれ量Ｄθ、投影倍率のレジストレーションずれ量ＤＺにより補正した後、緑色のドットに対する赤色および青色のドットのレジストレーションずれ量を赤色、および青色ごとに平均値化し、赤色、および青色の映像を平行移動して補正可能な平行移動のレジストレーションずれ量ＤＸＹを検出する。
【００３０】
解析装置２３は、例えば以上のような平行移動のレジストレーションずれ量ＤＸＹ、回転のレジストレーションずれ量Ｄθ、および投影倍率のレジストレーションずれ量ＤＺを、補正データＤＦとしてプロジェクタ１１に出力する。プロジェクタ１１はその補正データＤＦを補正データメモリ１７に格納する。なおこれら平行移動のレジストレーションずれ量ＤＸＹ、回転のレジストレーションずれ量Ｄθ、投影倍率のレジストレーションずれ量ＤＺを、事前に設定されたスクリーン１４上の所定位置についてだけ検出するようにしてもよい。
【００３１】
図１は、画像処理部１６の構成例を示している。画像処理部１６は、副作用対策処理部（周波数特性補正部）１と、移動量算出部２と、信号生成部（信号選択部）３と、レジずれ補正処理部４とを有している。この画像処理部１６の構成は、図８の構成例に対して、副作用対策処理部１とレジずれ補正処理部４との間に信号生成部３が設けられている点が異なっており、実質的にその他の構成は同様である。なお、以下では入力信号Ｓ１がＲ，Ｇ，Ｂの色信号であるものとして説明するが、入力信号Ｓ１が輝度信号および色差信号によるビデオ信号であった場合には、そのビデオ信号をＲ，Ｇ，Ｂの色信号に変換する変換回路を設け、その変換回路を介してＲ，Ｇ，Ｂの色信号を入力すれば良い。
【００３２】
移動量算出部２には、上述した補正データメモリ１７に格納されている、例えばスクリーン１４上の表示状態に基づいて計測されたレジストレーションずれ量を示す補正データＤＦが入力されるようになっている。移動量算出部２は、その補正データＤＦに基づいて、基準色に対する他の色の各画素ごとのレジストレーションずれ量を１画素未満の大きさの精度で算出するようになっている。移動量算出部２は、算出した各画素ごとのレジストレーションずれ量を示すデータＰ（ｉ，ｊ）を、信号生成部３と、レジずれ補正処理部４とに出力するようになっている。例えば、レジストレーションずれが各色の映像の平行移動のみによるものの場合、平行移動のレジストレーションずれ量ＤＸＹを各画素の平行移動のレジストレーションずれ量に設定すれば、各画素のレジストレーションずれ量を求めることができる。すなわちこの場合、平行移動のレジストレーションずれ量ＤＸＹを（ｓｘ，ｓｙ）とすると、点（ｉ，ｊ）における画素の平行移動のレジストレーションずれ量ＰＸＹ（ｉ，ｊ）は、ＰＸＹ（ｉ，ｊ）＝（ｓｘ，ｓｙ）で表される。なおこの場合には画面上の任意の点で緑色のドットと赤色のドット（および青色のドット）の位置を計測し、その差分を計算する。これを何点かで測定して平均を取ったものが平行移動量ｓｘ、ｓｙとなる。
【００３３】
副作用対策処理部１には、入力信号Ｓ１としてＲ，Ｇ，Ｂの各色信号が入力される。副作用対策処理部１は、レジストレーションずれの補正処理による副作用対策の信号処理を行うものである。具体的には上述の図７（Ｆ）を用いて説明したようなディスクリート現象の発生を抑えるために、各色信号に対して周波数特性を補正する処理、例えばローパスフィルタによって高域成分を抑えるフィルタ処理を行うようになっている。
【００３４】
信号生成部３には、副作用対策処理部１から出力された副作用対策処理のなされた各色信号と、入力信号Ｓ１（副作用対策処理部１によって補正される前の各色信号）と、移動量算出部２から出力された各画素ごとのレジストレーションずれ量を示すデータＰ（ｉ，ｊ）とが入力される。信号生成部３は、移動量算出部２で算出されたレジストレーションずれ量に基づいて、副作用対策処理部１によって補正される前の各色信号と補正された後の各色信号とから、後段のレジずれ補正処理部４での信号処理対象となる色信号を生成して出力するようになっている。本実施の形態における信号生成部３は、移動量算出部２で算出されたレジストレーションずれ量に基づいて、副作用対策処理部１によって補正される前の各色信号と補正された後の各色信号とを選択的に切り替えて出力するようになっている。より具体的には、信号生成部３は、レジストレーションずれ量が１画素の大きさの整数倍である場合には、周波数特性補正部１によって補正される前の各色信号を出力し、レジストレーションずれ量が１画素の大きさの整数倍にならない場合（１画素未満のずれ量を含む場合）には、副作用対策処理部１によって補正された後の各色信号を出力するようになっている。
【００３５】
レジずれ補正処理部４には、信号生成部３から出力された各色信号と、移動量算出部２から出力された各画素ごとのレジストレーションずれ量を示すデータＰ（ｉ，Ｊ）とが入力される。レジずれ補正処理部４は、レジストレーションずれ量に基づいて、信号生成部３から出力された各色信号に対して各画素ごとにレジストレーションずれを補正する信号処理を行い、出力信号Ｓ２として出力するようになっている。
【００３６】
次に、以上のように構成されたプロジェクタ１１の動作を説明する。なお、以下の説明は本実施の形態における映像信号処理方法の説明を兼ねている。
【００３７】
このプロジェクタ１１（図２）では、光源１２から出射された各色の照明光のそれぞれを、各色の表示パネル２Ｒ，２Ｇ，２Ｂによって、各色の駆動用の色信号ＳＲ，ＳＧ，ＳＢに基づいて変調して各色ごとの映像光ＬＲ，ＬＧ，ＬＢを生成する。そして、それら各色ごとの映像光ＬＲ，ＬＧ，ＬＢを図示しない投影光学系によってスクリーン１４上に投影することでカラー画像を表示する。理想的には、スクリーン上１４において、各色の映像光ＬＲ、ＬＧ、ＬＢによる赤色、緑色、および青色の映像が正しく重なり合って表示されている必要がある。しかしながら実際には、各色の映像が正しく重なり合わず、レジストレーションずれが生じる。このプロジェクタ１１では、画像処理部１６において入力信号Ｓ１を電気的にレジストレーション調整している。これにより、従来の機械的な調整作業を省略することができ、従来に比べて簡易にレジストレーション調整することができる。
【００３８】
画像処理部１６では、緑色の映像に対して赤色および青色の映像が正しく重なり合うようにレジストレーションずれ補正の信号処理を行うことが好ましい。緑色は、赤色および青色に比べて、最も画像劣化等を人間が知覚しやすい色である。一方、補間演算処理を伴ったレジストレーションずれ補正の信号処理を行う場合、少なからず画質劣化が生ずる。緑色の映像に対して赤色および青色の映像が正しく重なり合うように、赤色の色信号および青色の色信号について、レジストレーションずれ補正の信号処理をすることで、知覚的な画質劣化を極力回避することができる。またさらに、赤色、緑色、および青色の各色信号のすべてにレジストレーションずれ補正の信号処理を行う場合に比べて全体構成を簡略化することができる。
【００３９】
画像処理部１６において、レジずれ補正処理部４（図１）では、移動量算出部３１で算出されたレジストレーションずれ量を補正するように、具体的には、赤色および青色の色信号について、レジストレーションずれ量の分だけ逆方向に移動した箇所を中心とした複数画素の補間演算処理により、緑色に対して赤色および青色のレジストレーションずれを補正する処理を行う。なお、補間演算処理には、０次ホールド、線形補間、キュービック補間、Ｌａｎｃｚｏｓ補間等、種々の補間演算処理を広く適用することができる。なお、この補間演算処理は、図７（Ｂ）に示したような小数点画素のずれ（１画素未満のずれ）がある場合に必要となるものであり、図６（Ｂ）に示したような整数画素分のずれである場合には補間演算処理を行う必要はない（単なる画素値の置換処理で済む）。一方、例えば図６（Ｆ）および図７（Ｆ）の結果を見ても分かるように、レジストレーションずれの補正処理による副作用が発生するのは、レジストレーションずれ量として、小数点画素のずれがある場合であり、必要最低限の副作用対策は、そのようなずれ量がある部分にのみ行えばよい。
【００４０】
このため、本実施の形態では、画像処理部１６に信号生成部３を設けて、レジストレーションずれ量に応じて副作用対策処理のオン／オフ制御をしている。すなわち、信号生成部３において、レジストレーションずれ量が１画素の大きさの整数倍（０，１．０，−２．０など；位相が０）である場合には、周波数特性補正部１によって補正される前の各色信号を出力し、レジストレーションずれ量が１画素の大きさの整数倍にならない場合（０．５，１．６７，−２．１など；位相が０以外）には、副作用対策処理部１によって補正された後の各色信号を出力する。これにより、レジずれ補正処理部４には、１画素未満のずれ量を含む場合にのみ、副作用対策処理部１によって副作用対策のなされた信号が入力される。これにより、本来ならば不要である副作用対策の弊害を最小限にとどめることができる。
【００４１】
以上説明したように、本実施の形態のプロジェクタおよび映像信号処理方法によれば、レジストレーションずれ量に基づいて、副作用対策処理部１によって補正される前の各色信号と補正された後の各色信号とを選択的に切り替えて出力し、その出力信号に対してレジストレーションずれの補正処理を行うようにしたので、単に入力信号にのみ依存した副作用対策を行う場合に比べて、レジストレーションずれ補正に伴う副作用の発生を抑制しつつ、画像の劣化を抑えることができる。
［第２の実施の形態］
【００４２】
次に、本発明の第２の実施の形態を説明する。なお、上記第１の実施の形態と実質的に同一の構成部分には同一の符号を付し、適宜説明を省略する。
【００４３】
図４は、本発明の第２の実施の形態に係るプロジェクタにおける画像処理部１６Ａの構成例を示している。本実施の形態に係るプロジェクタは、上記第１の実施の形態における画像処理部１６（図１）の構成に対して、信号生成部（信号選択部）３に代えて信号生成部（信号合成部）３Ａを備えたものである。
【００４４】
図１の構成における信号生成部３では、レジストレーションずれ量に基づいて、副作用対策処理部１によって補正される前の各色信号と補正された後の各色信号とを単純に２値的に切り替えて出力するようにしたが、このような２値的な切り替えを行うと、副作用対策処理がなされた部分となされていない部分との境界に不連続性が現れ、画像の不自然さが目立ってしまうことも考えられる。本実施の形態における信号生成部３Ａは、この不連続性を緩和し、段階的に信号が切り替わるようにするため、移動量算出部２で算出されたレジストレーションずれ量に基づいて、副作用対策処理部１によって補正される前の各色信号と補正された後の各色信号とを各色ごとに合成し、その合成した信号を出力するようになっている。信号生成部３Ａによる合成は、レジストレーションずれ量が１画素の大きさの整数倍に近いほど、副作用対策処理部１によって補正される前の各色信号の割合が多くなるようにして行う。
【００４５】
信号生成部３Ａは、具体的には例えば以下のような演算式を用いた合成処理を行う。
小数単位移動量  ｄ＝ｘｍｏｄ１．０（ｘは移動量）
位相  ｐｈａｓｅ  ＝  ｄ            ｉｆ  ｄ≦０．５
１．０−ｄ    ｅｌｓｅ
ゲイン  ｇａｉｎ  ＝  ２＊ｐ
Ｏｕｔ＝Ｏｒｇ＊（１．０−ｇａｉｎ）＋Ｅｆｆ＊ｇａｉｎ
ここで、Ｏｒｇは副作用対策処理部１によって補正される前の各色信号を示す。Ｅｆｆは副作用対策処理部１によって補正された後の各色信号を示す。Ｏｕｔは、信号生成部３Ａから出力される各色信号を示す。「＊」は乗算記号を示す。
【００４６】
上記演算式における小数単位移動量ｄとは、レジストレーションずれ量の小数点部分を示す。すなわち、例えばずれ量が２．５であれば、小数単位移動量ｄ＝０．５となる。このような演算式により、小数単位移動量ｄが０の場合（ずれ量が１画素の大きさの整数倍ぶある場合）は、副作用対策処理部１によって補正される前の各色信号がそのまま出力される。すなわち、その場合は、
ｄ＝０であり、ｇａｉｎ＝２＊０＝０なので、
Ｏｕｔ＝Ｏｒｇ
【００４７】
最も副作用の発生する可能性のある小数単位移動量ｄが０．５の場合は、副作用対策済みの信号がそのまま出力される。すなわち、その場合は、
ｄ＝０．５であり、ｇａｉｎ＝２＊０．５＝１．０なので、
Ｏｕｔ＝Ｅｆｆ
【００４８】
その他、小数単位移動量ｄが０．３の場合や０．８の場合等では、上記演算式においてＯｒｇとＥｆｆとが合成された出力信号Ｏｕｔが得られる。すなわち、上記演算式により、小数単位移動量ｄが０以上０．５以下（１未満０．５以上も同じ）の範囲で段階的に副作用対策処理のなされた信号に切り替わることになる。これにより、２値的な切り替え処理を行う場合に比べて、信号の不連続性を抑制することができる。
［その他の実施の形態］
【００４９】
本発明は、上記各実施の形態に限定されず、その他の変形実施が可能である。
例えば、上記第１の実施の形態では、補正データメモリ１７に格納される補正データＤＦを工場出荷時に設定する場合を例に説明したが、補正データＤＦをユーザの操作により任意に更新可能に構成しても良い。この場合、例えば、図示しない操作部を介してユーザからの指示により動作モードを切り替え可能な構成としておく。また、調整用のドットパターンの画像をあらかじめ記憶しておく。そして、調整モードに切り替えたときに、調整用のドットパターンの画像信号を入力信号Ｓ１として表示する。またこのドットパターンを表示した状態で、ユーザの操作に応じて補正データメモリ１７に格納した補正データＤＦの更新を受け付ける。これにより、必要に応じて補正データＤＦを更新することができるので、経時変化によるレジストレーションずれの補正にも対応可能となる。
【００５０】
また、例えば上記各実施の形態では、３板式のリアプロジェクタを例に説明したが、本発明はこれに限らず、複数色の表示デバイスにより映像光を生成してスクリーン１４に投影する種々のプロジェクタに広く適用することができる。
【図面の簡単な説明】
【００５１】
【図１】本発明の第１の実施の形態に係るプロジェクタにおける画像処理部の構成例を示すブロック図である。
【図２】本発明の第１の実施の形態に係るプロジェクタの全体構成を示すブロック図である。
【図３】レジストレーションずれの補正データを作成する計測システムの構成例を示す構成図である。
【図４】本発明の第２の実施の形態に係るプロジェクタにおける画像処理部の構成例を示すブロック図である。
【図５】レジストレーションずれについての説明図である。
【図６】１画素単位でのレジストレーションずれの補正処理についての説明図である。
【図７】小数点画素単位でのレジストレーションずれの補正処理についての説明図である。
【図８】レジストレーションずれ補正に伴う副作用対策のなされた画像処理回路の構成例を示すブロック図である。
【符号の説明】
【００５２】
１…副作用対策処理部（周波数特性補正部）、２…移動量算出部、３…信号生成部（信号選択部）、３Ａ…信号生成部（信号合成部）、４…レジずれ補正処理部、１３…表示デバイス、１３Ｒ…赤色用表示パネル、１３Ｇ…緑色用表示パネル、１３Ｂ…青色用表示パネル、１４…スクリーン、１５…画像入力部、１６，１６Ａ…画像処理部、１７…補正データメモリ、１８…信号出力部、３１…移動量算出部、３７…副作用対策処理部（周波数特性補正部）、３８…レジずれ補正処理部、Ｓ１…入力信号、ＳＴ…テスト信号、ＤＦ…補正データ、Ｓ２…出力信号。
【図１】
2009044488.tif 000003
【図２】
2009044488.tif 000004
【図３】
2009044488.tif 000005
【図４】
2009044488.tif 000006
【図５】
2009044488.tif 000007
【図６】
2009044488.tif 000008
【図７】
2009044488.tif 000009
【図８】
2009044488.tif 000010